(57)【要約】      （修正有）【課題】待ち時間がなく、早く疑似的なスチームを生成し、身体部位に対して加温及び加湿を行うことのできる加温加湿装置を提供する。【解決手段】空気を温めて温風を生成する温風生成手段２１と、温風を送出させる温風送出孔３１と、超音波振動等の非加熱でミストを生成するミスト生成手段４１と、ミストを送出された温風の方向に噴出させるミスト噴出孔５１とを備え、ミストを温風によって温めることにより、温ミストを疑似的なスチームとして生成し、使用者の身体部位を加温及び加湿する。【選択図】図３
0003214318.tif 000002
【実用新案登録請求の範囲】
【請求項１】
空気を温めて温風を生成する温風生成手段と、当該温風を送出させる温風送出孔と、ミストを生成するミスト生成手段と、当該ミストを前記送出された温風の方向に噴出させるミスト噴出孔とを備えてなることを特徴とする加温加湿装置。
【請求項２】
前記ミスト噴出孔は、前記温風送出孔から送出された温風の方向と交差する方向にミストを噴出させることを特徴とする請求項２に記載の加温加湿装置。
【請求項３】
身体の足を載置して加温及び加湿する加温加湿装置であって、
左右の足を載置する左右一対の足載置部と、空気を温めて温風を生成する温風生成手段と、当該温風を送出させる温風送出孔と、ミストを生成するミスト生成手段と、当該ミストを前記送出された温風の方向に噴出させるミスト噴出孔とを備えてなることを特徴とする加温加湿装置。
【請求項４】
前記左右一対の足載置部の間に、空気を温めて温風を生成する温風生成手段と、少なくとも前記左右一対の足載置部の方向に夫々温風を送出させる温風送出孔と、ミストを生成するミスト生成手段と、当該ミストを前記送出された温風の方向に噴出させるミスト噴出孔とを備えてなることを特徴とする請求項３に記載の加温加湿装置。
【請求項５】
前記左右一対の足載置部の間に、空気を温めて温風を生成する温風生成手段と、少なくとも前記左右一対の足載置部の方向に夫々温風を送出させる温風送出孔と、ミストを生成するミスト生成手段と、当該ミストを前記送出された温風の方向に噴出させるミスト噴出孔とを備え
前記ミスト噴出孔は、左右一対の足載置部の方向に夫々ミストを噴出する一対のミスト噴出孔であって、前記左側の足載置部の方向に送出された温風の方向にミストを噴出させる一方のミスト噴出孔と、右側の足載置部の方向に送出された温風の方向にミストを噴出させる他方のミスト噴出孔とを備えてなることを特徴とする請求項３に記載の加温加湿装置。
【請求項６】
前記温風送出孔は、前記左右一対の足載置部の爪先側に形成され、
前記ミスト噴出孔は、当該温風送出孔よりも左右一対の足載置部の踵側に形成され、左右一対の足載置部の爪先方向にミストを噴射させることを特徴とする請求項３乃至５のいずれかに記載の加温加湿装置。
【請求項７】
前記温風送出孔は、前記左右一対の足載置部の方向以外の方向にも温風を送出させることを特徴とする請求項３乃至６のいずれかに記載の加温加湿装置。
【請求項８】
前記温風生成手段は、空気を温める加熱手段を備え、当該加熱手段がＰＴＣヒーターであることを特徴とする請求項１乃至７のいずれかに記載の加温加湿装置。
【請求項９】
前記ミスト生成手段は、超音波振動子であることを特徴とする請求項１乃至８に記載の加温加湿装置。
【請求項１０】
前記ミスト噴出孔と温風送出孔は、カバーで仕切られた空間内にあり、当該カバーには、身体部位を前記空間内に挿入するための挿入孔を備えてなることを特徴とする請求項１乃至９のいずれかに記載の加温加湿装置。
【考案の詳細な説明】
【技術分野】
【０００１】
本考案は、使用者の身体部位に用いる加温加湿装置に関する。
【背景技術】
【０００２】
近年、美容又は健康促進を目的として、身体を加温及び加湿する装置が種々提供されている。
【０００３】
例えば、足を覆う本体内の足入れ部に足を挿入して温浴する足浴器であって、スチーム発生装置で発生したスチームを前記足入れ部に循環させることにより、快適に温浴することのできる足浴器が提供されている（特許文献１）。
【０００４】
また、液体を加熱してスチームを生成するスチーム生成部と、液体から冷ミストを生成する冷ミスト生成部とを備え、スチームと冷ミストを切り替えて交互に身体部位に当てることにより、肌への刺激を繰り返して血液循環を促し、短時間で快適に効率よくスキンケア効果を向上させることのできるスキンケア装置が提供されている（特許文献２）。
【先行技術文献】
【特許文献】
【０００５】
【特許文献１】特開２００５−０１３７２１号公報
【特許文献２】特開２００８−２８９５４３号公報
【考案の概要】
【考案が解決しようとする課題】
【０００６】
しかしながら、特許文献１に記載の技術では、スチーム発生装置で貯水タンクの水を加熱してスチームを生成するため、電源を入れてからスチームが噴き出すまでにおよそ数分から数十分の時間が掛かり、使用者は、快適な温浴効果を得るまでに電源を入れてからしばらく待たなければならないという問題があった。
【０００７】
また、特許文献２に記載の技術では、電源を入れると冷ミスト生成部の超音波振動子によって貯留された液体からすぐに冷ミストが生成されるものの、スチーム生成部では、前記特許文献１に記載の技術と同様に、スチーム生成部でスチームを生成するのに時間が掛かり、使用者は、温スチームによる肌表面への温め効果を得るまでに待たなければならないという問題があった。
【０００８】
そこで、本考案は、待ち時間がなく、早く疑似的なスチームを生成し、身体部位に対して加温及び加湿を行うことのできる加温加湿装置を提供することを課題とした。
【課題を解決するための手段】
【０００９】
上記課題を解決するために、本考案は次のように構成した。すなわち、本考案に係る加温加湿装置は、空気を温めて温風を生成する温風生成手段と、当該温風を送出させる温風送出孔と、ミストを生成するミスト生成手段と、当該ミストを前記送出された温風の方向に噴出させるミスト噴出孔とを備えてなることを特徴としている。
【００１０】
また、本考案の加温加湿装置は、好ましくは、前記ミスト噴出孔は、前記温風送出孔から送出された温風の方向と交差する方向にミストを噴出させることを特徴としている。
【００１１】
また、加温加湿装置は、身体の足を載置して加温及び加湿する加温加湿装置であって、左右の足を載置する左右一対の足載置部と、空気を温めて温風を生成する温風生成手段と、当該温風を送出させる温風送出孔と、ミストを生成するミスト生成手段と、当該ミストを前記送出された温風の方向に噴出させるミスト噴出孔とを備えてなることを特徴としている。
【００１２】
また、加温加湿装置は、好ましくは、前記左右一対の足載置部の間に、空気を温めて温風を生成する温風生成手段と、少なくとも前記左右一対の足載置部の方向に夫々温風を送出させる温風送出孔と、ミストを生成するミスト生成手段と、当該ミストを前記送出された温風の方向に噴出させるミスト噴出孔とを備えてなることを特徴としている。
【００１３】
また、加温加湿装置は、好ましくは、前記左右一対の足載置部の間に、空気を温めて温風を生成する温風生成手段と、少なくとも前記左右一対の足載置部の方向に夫々温風を送出させる温風送出孔と、ミストを生成するミスト生成手段と、当該ミストを前記送出された温風の方向に噴出させるミスト噴出孔とを備え前記ミスト噴出孔は、左右一対の足載置部の方向に夫々ミストを噴出する一対のミスト噴出孔であって、前記左側の足載置部の方向に送出された温風の方向にミストを噴出させる一方のミスト噴出孔と、右側の足載置部の方向に送出された温風の方向にミストを噴出させる他方のミスト噴出孔とを備えてなることを特徴としている。
【００１４】
また、加温加湿装置は、好ましくは、前記温風送出孔が、前記左右一対の足載置部の爪先側に形成され、前記ミスト噴出孔が、当該温風送出孔よりも左右一対の足載置部の踵側に形成され、左右一対の足載置部の爪先方向にミストを噴射させることを特徴としている。
【００１５】
また、加温加湿装置は、好ましくは、前記温風送出孔が、前記左右一対の足載置部の方向以外の方向にも温風を送出させることを特徴としている。
【００１６】
また、加温加湿装置は、好ましくは、前記温風生成手段が、空気を温める加熱手段を備え、当該加熱手段がＰＴＣヒーターであることを特徴としている。
【００１７】
また、加温加湿装置は、好ましくは、前記ミスト生成手段が、超音波振動子であることを特徴としている。
【００１８】
さらに、加温加湿装置は、好ましくは、前記ミスト噴出孔と温風送出孔が、カバーで仕切られた空間内にあり、当該カバーには、身体部位を前記空間内に挿入するための挿入孔を備えてなることを特徴としている。
【考案の効果】
【００１９】
本考案に係る加温加湿装置によれば、電源をＯＮにすると、ミスト生成手段によって、水を加熱してスチームを生成するよりも早く、水等の液体からミストを生成することができ、且つ、当該ミストに対して前記温風を当てて温めることにより、待ち時間がなく、早く温ミストを疑似的なスチームを生成して供給することができる。これにより、使用者は、前記従来技術のようにスチームの生成におよそ数分から数十分の間待つことなく、身体部位に対してすぐに加温及び加湿を行うことができる。
【００２０】
また、前記送出された温風及び噴出したミストを交差させることにより、当該温風とミストが衝突して噴出されたミストの勢いを阻害するのを抑制し、温められた温ミストを疑似的なスチームとして、的確に加温及び加湿する使用者の身体部位の方向へ供給することができる。
【００２１】
また、本考案に係る加温加湿装置によれば、前記ミスト生成手段及び温風生成手段等とともに左右一対の足載置部を設けたことにより、当該左右の足載置部に夫々左右の足を載置すれば、所謂足浴器として、前記疑似的なスチームにより左右の足に対して加温及び加湿を行うことができる。
【００２２】
また、左右一対の足載置部の間に前記温風生成手段等を設け、当該一対の足載置部の方向へ夫々温風を送出させ、且つ、当該温風の方向にミストを噴出させることにより、前記効果のほか、左右一対の足載置部の間から偏りなく左右方向に疑似的なスチームを供給し、使用者の左右の足を加温及び加湿することができる。また、一般的に、使用者が左右の足を自然に載置するには、左右の足を肩幅程度に開くのが通常であり、左右一対の足載置部の間には間隙が生じる。そのため、当該間隙に温風生成手段等を設けることにより、当該間隙スペースを有効に利用し、装置全体をコンパクトに構成することができる。
【００２３】
また、前記ミスト噴出孔を一対としたことにより、左右一対の足載置部の方向に的確にミストを供給することができる。
【００２４】
また、爪先側から送出された温風に対して踵側のミスト送出孔から足載置部の爪先方向にミストを噴出することにより、使用者の左右の足の爪先に温ミストを疑似的なスチームとして供給でき、冷え性等の対策として、使用者の足の爪先に対して加温及び加湿することができる。
【００２５】
また、前記左右一対の足載置部の方向以外の方向にも温風を送出させることにより、当該温風の送出を分散させて局所的に過熱するのを抑制できるとともに、当該温風が送出される範囲が広がるため、前記噴出されたミストを温めることのできる範囲を広域にすることができる。
【００２６】
また、前記加熱手段をＰＴＣヒーターとしたことにより、早く温風を生成でき、空気を温める加熱温度を一定に維持することができ、また、消費電力を抑制することもできる。
【００２７】
また、前記ミスト生成手段を超音波振動子としたことにより、即時的にミストを生成することができる。
【００２８】
また、前記カバーで仕切って挿入孔を設けたことにより、本考案に係る加温加湿装置を所謂足浴器として利用でき、カバーで仕切られた空間内に待ち時間なく前記疑似的なスチームを早く生成することにより、使用者は、すぐに加温及び加湿を行うことができるとともに、カバーで仕切られた空間内を前記ミストと温風が循環することにより、より効果的な加温及び加湿を行うことができる。
【図面の簡単な説明】
【００２９】
【図１】本考案に係る加温加湿装置を示す外観斜視図である。
【図２】加温加湿装置の構造を示す展開斜視図である。
【図３】加温加湿装置の内部構造を示す断面図である。
【図４】加温加湿装置を示す平面図である。
【図５】加温加湿装置の内部構造を示す断面図である。
【図６】加温加湿装置の使用状態を示す図である。
【考案を実施するための形態】
【００３０】
以下、図面に基づいて本考案を具体的に説明する。まず、図１は、本考案に係る加温加湿装置１を示す外観斜視図であり、図２は、当該加温加湿装置１の構造を示す斜視展開図であり、図３は、加温加湿装置１の構造を示す断面図である。加温加湿装置１は、基本的な構成として、空気を温めて温風を生成する温風生成手段２１と、当該温風を送出させる温風送出孔３１と、ミストを生成するミスト生成手段４１と、当該ミストを前記送出された温風の方向に噴出させるミスト噴出孔５１とを備えている。
【００３１】
また、これらの構成要素と左右一対の足載置部６１が筐体７１に取り付けられ、且つ、身体部位を挿入する挿入孔８２を備えたカバー８１によって仕切られた空間内に収納されている。また、図１中の符号９１は、当該加温加湿装置１を操作し、筐体７１から着脱可能なリモコン操作部９１である。なお、加温加湿装置１に電気を供給する電源コード及び加温加湿装置１の動作を制御する制御部の説明は省略する。
【００３２】
図２及び図３に示すように、温風生成手段２１は、加熱手段２２と送風手段２３とから構成されている。加熱手段２２は、ＰＴＣヒーターであり、導電することにより吸気孔より取り入られた空気を温める。当該加熱手段２１の下方には、送風手段２３として電動モータ２４に接続された送風ファンが設けられ、前記加熱手段２２で温められた空気を温風として当該送風ファンによって上方へと流通させる。このように加熱手段２２としてＰＴＣヒーターを用いたことにより、導電により即時的に空気を加熱することができ、また、加熱する温度を一定に維持することができるため、使用者の身体部位に過熱の温風を送出して火傷等することを防止することができる。
【００３３】
なお、当該温風生成手段２１は、これに限られるものではなく、従来のように水等を加熱してスチームを生成するよりも早く、温めた空気を温風として流通させることができればどのような手段であってもよい。また、温風の温度は、前記リモコン操作部９１でその強弱を調節することができる。
【００３４】
温風送出孔３１は、前記筐体７１の蓋部７２から突出した中空の温風送出部３２の側面に複数開口して設けられており、前記温風生成手段２１から当該温風送出部３２の中空部まで連通して形成された流通路に沿って上方に流通された温風を前記ミスト噴出孔５１及び左右一対の足載置部６１の方向に送出させる。本実施例では、当該温風送出孔３１は、温風送出部３２のミスト噴出孔５１との対向部と、両側面上部と上面とに夫々複数形成されており、当該温風の送出を分散させて局所的に過熱するのを抑制するとともに、当該温風が送出される範囲が広がるため、前記噴出されたミストを温めることのできる範囲を広域にして効率よくミストを温めることができる。
【００３５】
ミスト生成手段４１は、超音波振動子で構成されている。そのため、当該ミスト生成手段４１に送られた水は、当該超音波振動子を作動させることにより、即時的にミスト化することができる。当該水は、ミスト生成手段４１よりも踵側に設けられた貯水タンク４２からチューブ４３を介してミスト生成手段４１の上方で開口した給水孔４４からミスト生成手段４１に供給される。なお、当該貯水タンク４２は、着脱可能となっており、使用者によって水が充填されたのちに取付けられる。
【００３６】
なお、図３で示したチューブ４３は、給水タンク４２との連通部が表示されていないが、図中断面よりも手前側で給水タンク４２の下方と連通されている。また、ミスト生成手段４１は、超音波振動子に限られず、従来のように水等を加熱してスチームを生成するよりも早く、供給された水からミストを生成することができれば、どのような構成であってもよい。
【００３７】
ミスト噴出孔５１は、図３及び図４に示すように、前記筐体７１の蓋部７２から前記温風送出部３１よりも踵側で突出した中空のミスト噴出部５２の側面で、前記温風送出部３１との対向部に一対設けられており、前記ミスト生成手段４からミスト噴出部５２の中空部まで連通して形成された流通路に沿って上方に流通されたミストを前記温風送出孔３１から送出された温風の方向に、且つ、左右一対の足載置部６１の爪先方向に噴出させ、当該ミストを温めて温ミストを疑似的なスチームとして生成する。また、図４では、図示の都合上、左右一対の足載置部６１の表示を省略している。
【００３８】
当該左右一対の足載置部６１は、左足を載置する足載置部６２及び右足を載置する足載置部６３から構成され、使用者の左右の足を夫々載置するものである。本実施例の加温加湿装置１においては、当該一対の足載置部６１の間に前記温風生成手段２１等の疑似的なスチームを生成する機構が配置されており、当該一対の足載置部６１の爪先側に前記温風生成手段２１及び温風送出孔３１が設けられ、当該温風生成手段２１等よりも踵側にミスト生成手段４１及びミスト噴出孔５１が設けられている。
【００３９】
一般的に、このような一対の足載置部６１に使用者が左右の足を載置するに際しては、通常肩幅程度に左右の足を開いて載置するのが自然でリラックスした体勢である。そのため、使用者がリラックスして身体部位を加温及び加湿できるように一対の足載置部６１を配置すると、左右一対の足載置部の間には間隙が生じる。前記温風生成手段２１等を当該間隙に設けることにより、当該間隙スペースを有効に利用し、装置全体をコンパクトに構成することができる。また、一対の足載置部６１は、表面に無数の突起物が形成されており、使用者の足裏をマッサージすることができるようになっている。
【００４０】
筐体７１は、硬質の合成樹脂製であり、前記温風生成手段２１及びミスト生成手段４１を収納し、前記温風生成手段２１で生成された温風、前記ミスト生成手段４１で生成されたミスト及び前記貯水タンク４２に充填された水を流通させるための連通孔が開口した蓋部７２によって閉じられている。そして、当該蓋部７２の表面からは、前記温風送出部３２、ミスト噴出部５２及び貯水タンク４２が突出して形成され、その左右両側に前記左右一対の足載置部６１が取り付けられている。
【００４１】
前記カバー８１は、前記筐体７１と同様の硬質の合成樹脂製で形成された第一カバー部８３とタオル地の布製で形成された第二カバー部８４とから構成されている。第一カバー部８３は、前記蓋部７２上に配設された各構成要素を覆い、当該蓋部７２と第一カバー部８３によって仕切られた空間を形成して蓋部７２の上方に取り付けられている。また、第一カバー部８３は、第二カバー部８４を取付けるための開口部８５が形成されている。第二カバー部８４は、前記開口部８５と連通して取付けられ、その他端の先端側には、左右夫々の足を挿入するための一対の挿入孔８２が形成されている。これら第一カバー部８３及び第二カバー部８４は、その取付け部に設けられたマグネット８６により容易に着脱可能となっている。なお、第一カバー部８３及び第二カバー部８４の取り付けは、マグネット８６に限られず、両者を着脱可能であれば、その他押ボタンや面ファスナー等、どのようなものであってもよい。
【００４２】
このように当該カバー８１で仕切られた空間内は、使用者の足等の身体部位を前記第二挿入孔８４から挿入することで略密閉状態となり、当該空間内に温風を送出し、且つ、当該温風の方向にミストを送出すれば、当該空間内を温風及びミストが循環し、所謂足浴器のようにして、より効果的に使用者の足等の身体部位を加温及び加湿することができる。なお、使用者の嗜好に応じて、第二カバー８３を取付けず、前記開口部８４から足等の身体部を挿入して加温加湿装置１を使用することも可能である。
【００４３】
図４は、前記足載置部６１及びカバー８１を取り外した状態の加温加湿装置１を示す平面図であり、図中、破線矢印は、温風送出孔３１から送出された温風の流れを示し、実線矢印は、ミスト噴出孔５１から噴出されたミストの流れを示す。
【００４４】
図示のように、温風噴出孔３１は、温風送出部３２のミスト噴出孔５１に対向する面のほか、その両側面上部、上面及び背面にも夫々複数開口して形成されており、各方向に温風を送出している。また、ミスト噴出孔５１は、ミスト噴出５２の上部で前記温風噴出部３２に対する対向部に左右一対形成されており、前記左右一対の足載置部６１の爪先側方向に夫々にミストを噴出している。このように噴出されたミストは、前記各方面に送出された温風に当たって温められ、疑似的なスチームとして前記仕切られた空間内を循環する。
【００４５】
前述の通り、前記温風生成手段２１及び前記ミスト生成手段４１により、これらを作動させることで即時的に温風及びミストが生成されるため、使用者は、従来のようにスチームの生成を数分から数十分の間待つことなく、すぐに疑似的なスチームによってその身体部位を加温及び加湿することができる。
【００４６】
また、前記温風に対して交差する方向にミストを噴出することにより、当該噴出されたミストが温風送出部３２又は送出された温風に衝突して噴出されたミストの勢いを阻害するのを抑制し、温められたミストを疑似的なスチームとして、的確に加温及び加湿する使用者の身体部位の方向へ供給することができる。なお、ミストの噴出方向は、これに限られるものではなく、送出された温風の方向へとミストを噴出し、当該ミストを温めることができればどのような方向であってもよい。
【００４７】
また、前記ミストを載置された足の爪先方向に噴出することにより、使用者の左右の足の爪先に疑似的なスチームを適切に供給でき、冷え性等の対策として、使用者の足の爪先に対して加温及び加湿することができる。
【００４８】
図５は、加温加湿装置１の構造を示す断面図である。前述の通り、前記仕切られた空間内で循環している疑似的なスチームは、使用者が加温加湿装置１の使用中又は使用後に温度が低下すると、凝結して水滴になる。当該水滴は、前記図４にも示した排水孔１０１から図５に示す排水管１０２を流通し、排水トレイ１０３に貯留される。使用者は、当該排水トレイ１０３を筐体７１から取り外し、排水トレイ１０３に溜まった排水を捨てればよい。
【００４９】
図６は、加温加湿装置１の使用状態を示す図である。当該加温加湿装置１の使用者は、まず、給水タンク４２に水を入れた後、図示のように、椅子等に座った状態で前記挿入孔８２から左右の足を挿入し、足載置部６１に各足を載置する。前記の通り挿入孔８２が形成された第二カバー８４は、使用者の膝部までの丈でタオル地の布製により構成されているため、使用者の膝部までをカバーした上で、前記カバー８１及び蓋部７２により仕切れた空間内を略密閉状態にすることができる。
【００５０】
次に、使用者は、前記リモコン操作部９１の電源ボタンを押し、電源を入れる。そうすると、図４で示したように、すぐに前記温風送出孔３１から温風が送出され、且つ、ミスト送出孔５１から当該温風の方向にミストが送出され、温ミストが疑似的なスチームとして生成される。当該疑似的なスチームは、前記温風とともに、緩やかにカーブした第一カバー部８３の内側面に衝突し、前記空間内を循環する。このように空間内を循環する疑似的なスチーム及び温風により、当該空間内の温度が温められるため、順次噴出されるミストは、より効率的に温められる。
【００５１】
使用者は、当該疑似的なスチームによって左右の足を加温及び加湿することができ、使用者の足に潤い効果を奏するとともに、足浴器として足湯の効果により使用者の全身の体温をも温めることができる。
【００５２】
前記実施例においては、所謂足浴器のようにして加温加湿装置１を用いたが、送出された温風の方向にミストを噴射させ、温ミストを疑似的なスチームとして生成し、当該疑似的なスチームを噴出等させることにより、その他種々の応用が可能である。
【００５３】
例えば、従来、顔面のスキンケアを目的としてスチームを噴出させる美顔用スチーマー等が提供されているが、当該スチームの代替として、前記温ミストを疑似的なスチームとして噴出させることにより、前記スチームを生成する待ち時間がなく、より早く使用者の顔面を加温及び加湿することができる。この際、温風送出孔３１及びミスト噴出孔４１を対向させることにより、送出された温風にミストを噴出させてもよいが、例えば、温風及びミストの流通路をＹ字型、Ｔ字型又はＸ字型等の筒状で形成し、当該流通路のうち２つの端部から温風及びミストを夫々流し込み、当該流通路の交差点で温風及びミストを交わらせることによって温ミストを疑似的なスチームとして生成し、その他の端部から当該温ミストを噴出させるように構成してもよい。このように、上記実施例でも同様であるが、温風に対してミストを噴出させ、当該ミストを温めることにより疑似的にスチームを形成できれば、温風の方向へのミストの噴射方向及び流通路の形状は限られるものではない。
【００５４】
また、前記実施例の使用者の足又は前記顔面のみならず、その他身体部位を加温及び加湿する場合であっても、加温加湿装置１は有用である。すなわち、温風生成手段２１で生成された温風を送出させる温風送出孔３１と、ミスト生成手段４１で生成されたミストを前記温風の方向に噴出させるミスト噴出孔５１を備え、温風及びミストを交わらせて温ミストを疑似的なスチームとして生成すれば、当該疑似的なスチームを使用者の身体部位に当てることにより、当該身体部位を加温及び加湿することができる。
【符号の説明】
【００５５】
１    加温加湿装置
２１  温風生成手段
２２  加熱手段
２３  送風手段
２４  電動モータ
３１  温風送出孔
３２  温風送出部
４１  ミスト生成手段
４２  貯水タンク
４３  チューブ
５１  ミスト噴出孔
５２  ミスト噴出部
６１  一対の足載置部
６２  足載置部
６３  足載置部
７１  筐体
７２  蓋部
８１  カバー
８２  挿入孔
８３  第一カバー部
８４  第二カバー部
８５  開口部
８６  マグネット
９１  リモコン操作部
【図１】
0003214318.tif 000003
【図２】
0003214318.tif 000004
【図３】
0003214318.tif 000005
【図４】
0003214318.tif 000006
【図５】
0003214318.tif 000007
【図６】
0003214318.tif 000008
【手続補正書】
【提出日】平成29年10月25日(2017.10.25)
【手続補正３】
【補正対象書類名】実用新案登録請求の範囲
【補正対象項目名】請求項２
【補正方法】変更
【補正の内容】
【請求項２】
前記ミスト噴出孔は、前記温風送出孔から送出された温風の方向と交差する方向にミストを噴出させることを特徴とする請求項１に記載の加温加湿装置。